(57)【要約】      （修正有）【課題】低コスト化を達成できると共に、優れた指示照明効果を有するスイッチパネルの提供。【解決手段】フレーム本体１０とパネル２０を有し、該フレーム本体の前側に複数の係合孔１２を有する凹部１０１が形成されると共に、中央に収容部１１が形成され、該収容部の上側に位置決め部１３が形成され、該位置決め部の一側に小型ランプ１４１を有する回路板１５が設けられると共に、他側に貫通孔２１が形成され、フレーム本体の後側に、貫通孔にセンサーを有する回路板１４が設けられ、前記位置決め部に光発散ロッド１６が設けられ、該光発散ロッドの両側に夫々接触面１６１が設けられ、その内一つの接触面に小型ランプを設置するための挿入孔１６２が形成され、前記パネル２０の一側にフレーム本体１０の係合孔と対応する係合フック１６３が設けられると共に、中央に収容部１１と対応する貫通孔２１が形成され、該収容部と貫通孔に押圧ボタンが設けられる。【選択図】図１
0003113075.tif 000002
【実用新案登録請求の範囲】
【請求項１】
フレーム本体とパネルを有し、
該フレーム本体の前側に複数の係合孔を有する凹部を形成すると共に、中央に収容部を形成し、
該収容部の上側に位置決め部を形成し、
該位置決め部の一側に小型ランプを有する回路板を設けると共に、他側に貫通孔を形成し、フレーム本体の後側に、貫通孔にセンサーを有する回路板を設け、
前記位置決め部に光発散ロッドを設け、該光発散ロッドの両側に夫々接触面を設け、その内一つの接触面に小型ランプを設置するための挿入孔を形成し、
前記パネルの一側にフレーム本体の係合孔と対応する係合フックを設けると共に、中央に収容部と対応する貫通孔を形成し、
該収容部と貫通孔に押圧ボタンを設けたことを特徴とするスイッチパネル。
【請求項２】
前記フレーム本体の凹部は貫通状であることを特徴とする、
請求項１に記載のスイッチパネル。
【請求項３】
前記光発散ロッドの接触面はく字形であり、前記フレーム本体の位置決め部の両側に案内面を形成することにより、光発散ロッドを位置決め部に設置しやすいことを特徴とする、
請求項２に記載のスイッチパネル。
【請求項４】
前記位置決め部に複数の係合孔を有する底部を設け、
該光発散ロッドに該係合孔と対応する係合フックを設けたことを特徴とする、
請求項２に記載のスイッチパネル。
【考案の詳細な説明】
【技術分野】
【０００１】
本考案は、特に低コスト化を達成できると共に、優れた指示照明効果を有するスイッチパネルに関するものである。
【背景技術】
【０００２】
スイッチのパネルに小型ランプが設けられることから、夜間又は暗闇において指示照明効果を提供できるので、使用者は一目でスイッチの場所を確認できる。
【０００３】
又、小型ランプが設けられる従来のスイッチパネルには、例えば台湾実用新案公告第４５８３５４号の「小型ランプの照明効果を有する弾力式スイッチの押圧ボタン」及び台湾実用新案公告第M２４４５７０号の「ランプを有するスイッチパネル」などがある。
【考案の開示】
【考案が解決しようとする課題】
【０００４】
しかしながら、前記小型ランプが設けられる従来のスイッチパネルは、ランプの輝度不足や製造コストが高いという問題を有するので、更に改良する必要がある。
【０００５】
そこで、案出されたのが本考案であって、低コスト化を達成できると共に、優れた指示照明効果を有するスイッチパネルを提供することを目的としている。
【課題を解決するための手段】
【０００６】
本願の第１考案は、フレーム本体とパネルを有し、該フレーム本体の前側に複数の係合孔を有する凹部が形成されると共に、中央に収容部が形成され、該収容部の上側に位置決め部が形成され、該位置決め部の一側に小型ランプを有する回路板が設けられると共に、他側に貫通孔が形成され、フレーム本体の後側に、貫通孔にセンサーを有する回路板が設けられ、
前記位置決め部に光発散ロッドが設けられ、該光発散ロッドの両側に夫々接触面が設けられ、その内一つの接触面に小型ランプを設置するための挿入孔が形成され、
前記パネルの一側にフレーム本体の係合孔と対応する係合フックが設けられると共に、中央に収容部と対応する貫通孔が形成され、該収容部と貫通孔に押圧ボタンが設けられることを特徴とするスイッチパネル、を提供する。
【０００７】
本願の第２考案は、前記フレーム本体の凹部は貫通状であることを特徴とする第１考案に記載のスイッチパネル、を提供する。
【０００８】
本願の第３考案は、前記光発散ロッドの接触面はく字形であり、前記フレーム本体の位置決め部の両側に案内面が形成されることにより、光発散ロッドを位置決め部に設置しやすいことを特徴とする第２考案に記載のスイッチパネル、を提供する。
【０００９】
本願の第４考案は、前記位置決め部に複数の係合孔を有する底部が設けられ、該光発散ロッドに該係合孔と対応する係合フックが設けられることを特徴とする第２考案に記載のスイッチパネル、を提供する。
【考案の効果】
【００１０】
本考案は上記の課題を解決するものであり、フレーム本体に小型ランプを収容する光発散ロッドが設けられ、小型ランプから発散した光線を該光発散ロッドによって拡散することから、輝度をより向上させることができると共に、優れた指示照明効果を達成することができる。
【考案を実施するための最良の形態】
【００１１】
以下、添付図面を参照して本考案の好適な実施の形態を詳細に説明する。尚、下記実施例は、本考案の好適な実施の形態を示したものにすぎず、本考案の技術的範囲は、下記実施例そのものに何ら限定されるものではない。
【００１２】
図１は本考案に係るスイッチパネルの分解斜視図であり、図２は本考案に係るスイッチパネルの斜視図であり、図３は本考案に係るスイッチパネルに押圧ボタンが設けられる状態を示す平面図であり、図４は図３の４-４線の断面図であり、図５は本考案に係るスイッチパネルの他の実施例を示す分解斜視図である。
【００１３】
図１乃至図４に示すように、本考案に係るスイッチパネル（１）はフレーム本体（１０）とパネル（２０）を有し、該フレーム本体（１０）の前側に複数の係合孔（１２）を有する凹部（１０１）が形成されると共に、中央に収容部（１１）が形成され、該収容部（１１）の上側に貫通の位置決め部（１３）が形成され、該位置決め部（１３）の一側に小型ランプ（１４１）を有する回路板（１４）が設けられると共に、他側に貫通孔（１０２）が形成され、フレーム本体（１０）の後側に貫通孔（１０２）にセンサー（１５１）を有する回路板（１５）が設けられる。
【００１４】
前記センサー（１５１）は小型ランプ（１４１）を制御する光センサーである。前記小型ランプ（１４１）は発光ダイオードである。前記フレーム本体（１０）の凹部（１０１）に夫々収容部（１１）の両側に位置する取付孔（１０３）が形成される。
【００１５】
前記位置決め部（１３）に光発散ロッド（１６）が設けられ、該光発散ロッド（１６）の両側に夫々接触面（１６１）が設けられ、その内一つの接触面（１６１）に小型ランプ（１４１）を設置するための挿入孔（１６２）が形成される。
【００１６】
前記パネル（２０）の一側にフレーム本体（１０）の係合孔（１２）と対応する係合フック（２２）が設けられると共に、中央に収容部（１１）と対応する貫通孔（２１）が形成され、該収容部（１１）と貫通孔（２１）に押圧ボタン（３０）が設けられる。
【００１７】
又、前記光発散ロッド（１６）の接触面（１６１）はく字形であり、前記フレーム本体（１０）の位置決め部（１３）の両側に案内面（１３１）が形成されることにより、光発散ロッド（１６）を位置決め部（１３）に設置しやすくできる。
【００１８】
図５に示すように、本考案に係るスイッチパネルの他の実施例は、前記実施例と殆ど等しく、異なるのは、前記位置決め部（１３）に複数の係合孔（１３３）を有する底部（１３２）が設けられ、該光発散ロッド（１６）に該係合孔（１３３）と対応する係合フック（１６３）が設けられることにより、光発散ロッド（１６）とフレーム本体（１０）との結合効果を向上する。又、該光発散ロッドにより、小型ランプ（１４１）の光線を拡散するので、優れた指示照明効果を得る。又、前記回路板（１４）（１５）は一体形成としてもよく、これにより、製造コストを下げることができる。
【００１９】
本考案は上記の構成を有するので、フレーム本体に小型ランプを収容する光発散ロッドが設けられ、小型ランプから発散した光線を該光発散ロッドによって拡散することから、輝度をより向上させることができると共に、優れた指示照明効果を達成することができる。
【図面の簡単な説明】
【００２０】
【図１】本考案に係るスイッチパネルの分解斜視図である。
【図２】本考案に係るスイッチパネルの斜視図である。
【図３】本考案に係るスイッチパネルに押圧ボタンが設けられる状態を示す平面図である。
【図４】図３の４-４線の断面図である。
【図５】本考案に係るスイッチパネルの他の実施例を示す分解斜視図である。
【符号の説明】
【００２１】
１          スイッチパネル
１０        フレーム本体
１０１      凹部
１０２      貫通孔
１０３      取付孔
１１        収容部
１２        係合孔
１３        位置決め部
１３１      案内面
１３２      底部
１３３      係合孔
１４        回路板
１４１      小型ランプ
１５        回路板
１５１      センサー
１６        光発散ロッド
１６１      接触面
１６２      挿入孔
１６３      係合フック
２０        パネル
２１        貫通孔
２２        係合フック
３０        押圧ボタン
【図１】
0003113075.tif 000003
【図２】
0003113075.tif 000004
【図３】
0003113075.tif 000005
【図４】
0003113075.tif 000006
【図５】
0003113075.tif 000007